(57)【要約】【課題】  ＦＰＣのばたつきを抑え、かつ、設計自由度を高くできる光ピックアップ装置、光ディスクドライブ装置、および加工方法を提供する。【解決手段】  光ピックアップ部１とＦＰＣ２と係止シート３と係止相手部材とを備える光ピックアップ装置１００において、ＦＰＣ２を係止相手部材に係止させる係止シート３に、係止部材第１面Ｄ１と係止部材第２面Ｄ２とによる段差を形成し、基準状態のときに、係止部材第１面Ｄ１のうち第２方向Ｂ２において光ピックアップ部１に最も近接する部分と、ＦＰＣの配線基板第１面Ｃ１のうち第２方向Ｂ２において光ピックアップ部１に最も近接する部分とが、第２方向Ｂ２において同じ位置となるようにする。【選択図】      図２
2012003829.tif 000002
【特許請求の範囲】
【請求項１】
第１方向に移動する光ピックアップ部と、
前記光ピックアップ部に一端部が接続されるフレキシブルプリント配線基板であって、前記第１方向に対して垂直な第２方向に、該フレキシブルプリント配線基板の他端部が前記光ピックアップ部から離間するように設けられるフレキシブルプリント配線基板と、
前記フレキシブルプリント配線基板の他端部における前記光ピックアップ部に対向する面である配線基板第１面とは反対側の面である配線基板第２面を係止させる係止部材であって、前記第２方向において段差が形成される係止部材と、
前記光ピックアップ部に対して前記第２方向に離間して設けられる係止相手部材であって、前記係止部材によって前記フレキシブルプリント配線基板の前記配線基板第２面が係止される係止相手部材とを備え、
前記係止部材の前記段差は、前記第１方向において前記フレキシブルプリント配線基板の前記一端部と前記他端部とが最も近接する状態のときに、前記係止部材の前記光ピックアップ部に対向する面である係止部材第１面のうち前記第２方向において前記光ピックアップ部に最も近接する部分と、前記配線基板第１面のうち前記第２方向において前記光ピックアップ部に最も近接する部分とが、前記第２方向において同じ位置となるように形成されることを特徴とする光ピックアップ装置。
【請求項２】
前記フレキシブルプリント配線基板は、前記配線基板第１面が平面となるように設けられ、
前記係止部材は、前記係止部材第１面が前記配線基板第１面を含む仮想平面上の平面となるように設けられることを特徴とする請求項１に記載の光ピックアップ装置。
【請求項３】
前記フレキシブルプリント配線基板は、
前記仮想平面に平行な第３方向であって前記フレキシブルプリント配線基板の他端部から前記係止部材に向かう方向である第３方向において、前記配線基板第１面の該第３方向における終端である第１終端が、前記配線基板第２面の該第３方向における終端である第２終端よりも、前記係止部材側となるように設けられ、かつ、
前記第１終端から前記第２終端に向かって退避する側部が設けられることを特徴とする請求項２に記載の光ピックアップ装置。
【請求項４】
前記フレキシブルプリント配線基板は、該フレキシブルプリント配線基板の前記側部における前記係止部材に対向する面が、平面となるように設けられることを特徴とする請求項３に記載の光ピックアップ装置。
【請求項５】
請求項１〜４のいずれか１つに記載の光ピックアップ装置と、該光ピックアップ装置を取り囲む筐体とを備え、
前記係止相手部材は、前記筐体の一部分であることを特徴とする光ディスクドライブ装置。
【請求項６】
請求項１に記載の光ピックアップ装置に用いられる係止部材の段差を形成する加工方法であって、
フレキシブルプリント配線基板の一の端部の一方側の面に、平板状の係止部材を固定する固定工程と、
フレキシブルプリント配線基板および該フレキシブルプリント配線基板に固定された係止部材を、該フレキシブルプリント配線基板の前記一方側の面とは反対側の面が下になるように、平らな載置台上に載置する載置工程と、
前記載置台上に載置された係止部材のうち、少なくともフレキシブルプリント配線基板とは重なっていない部分を、押付部材の平面部分によって、加熱しながら前記載置台に押し付ける押付工程とを有することを特徴とする加工方法。
【発明の詳細な説明】
【技術分野】
【０００１】
本発明は、光ピックアップ装置、光ディスクドライブ装置、および加工方法に関する。
【背景技術】
【０００２】
光ディスクドライブ装置は、ＣＤ（Compact Disc）やＤＶＤ（Digital Versatile Disc）、ＢＤ（Blu-ray（登録商標） Disc）などの光ディスクにおける信号再生および信号記録のために、光ピックアップ装置を備えている。光ピックアップ装置は、光ピックアップ部と、該光ピックアップ部に接続されたフレキシブルプリント配線基板（以下、「ＦＰＣ（Flexible Printed Circuit board）」と称する）とを含み、光ピックアップ部のシーク動作が可能な構成となっている。
【０００３】
ＦＰＣは、光ピックアップ部のシーク動作に伴って移動、変形する。このとき、ＦＰＣに過剰な負荷が掛かるような望ましくない移動や変形など（以下、「ＦＰＣのばたつき」と称する）の発生を抑える必要がある。
【０００４】
これに関して、特許文献１には、ＰＥＴ（ポリエチレンテレフタレート）シートなどの係止部材によって、ＦＰＣの端部を、底カバー板などの係止相手部材に係止させた光ピックアップ装置が記載されている。特許文献１によれば、係止部材によってＦＰＣの端部を係止相手部材に係止させることで、ＦＰＣのばたつきを抑えることができるとされている。
【先行技術文献】
【特許文献】
【０００５】
【特許文献１】特開２００９−３７６８６号公報
【発明の概要】
【発明が解決しようとする課題】
【０００６】
特許文献１に記載の光ピックアップ装置では、ＦＰＣの光ピックアップ部から遠い側の面に係止部材が接着され、該係止部材のＦＰＣが接着された面とは反対側の面に、係止相手部材が接着されている。したがって、特許文献１に記載の光ピックアップ装置では、ＦＰＣと係止部材との接続部において段差が生じる場合がある。
【０００７】
ＦＰＣと係止部材との接続部に段差があると、光ピックアップ部のシーク動作のときに該段差での引っ掛かりが生じないように、ＦＰＣと係止部材との接続部を光ピックアップ部のシーク動作経路から離れた位置に設ける必要が生じ、その結果、該接続部の配置位置についての自由度が低くなってしまう。
【０００８】
ＦＰＣと係止部材との接続部の配置位置についての自由度が低くなると、ＦＰＣのコネクタ部の配置の自由度や、ＦＰＣのコネクタ部と接続される回路の配置の自由度なども低くなってしまい、ひいては、光ピックアップ装置の設計自由度が低くなってしまう。光ピックアップ装置の設計自由度が低くなると、たとえば、光ディスクドライブ装置を小型化することが難しくなるなどの問題がある。
【０００９】
本発明は、上述した課題を解決するためのものであり、ＦＰＣのばたつきを抑え、かつ、設計自由度を高くできる光ピックアップ装置、光ディスクドライブ装置、および加工方法を提供することを目的とする。
【課題を解決するための手段】
【００１０】
本発明は、第１方向に移動する光ピックアップ部と、
前記光ピックアップ部に一端部が接続されるフレキシブルプリント配線基板であって、前記第１方向に対して垂直な第２方向に、該フレキシブルプリント配線基板の他端部が前記光ピックアップ部から離間するように設けられるフレキシブルプリント配線基板と、
前記フレキシブルプリント配線基板の他端部における前記光ピックアップ部に対向する面である配線基板第１面とは反対側の面である配線基板第２面を係止させる係止部材であって、前記第２方向において段差が形成される係止部材と、
前記光ピックアップ部に対して前記第２方向に離間して設けられる係止相手部材であって、前記係止部材によって前記フレキシブルプリント配線基板の前記配線基板第２面が係止される係止相手部材とを備え、
前記係止部材の前記段差は、前記第１方向において前記フレキシブルプリント配線基板の前記一端部と前記他端部とが最も近接する状態のときに、前記係止部材の前記光ピックアップ部に対向する面である係止部材第１面のうち前記第２方向において前記光ピックアップ部に最も近接する部分と、前記配線基板第１面のうち前記第２方向において前記光ピックアップ部に最も近接する部分とが、前記第２方向において同じ位置となるように形成されることを特徴とする光ピックアップ装置である。
【００１１】
また本発明は、前記フレキシブルプリント配線基板は、前記配線基板第１面が平面となるように設けられ、
前記係止部材は、前記係止部材第１面が前記配線基板第１面を含む仮想平面上の平面となるように設けられることを特徴とする。
【００１２】
また本発明は、前記フレキシブルプリント配線基板は、
前記仮想平面に平行な第３方向であって前記フレキシブルプリント配線基板の他端部から前記係止部材に向かう方向である第３方向において、前記配線基板第１面の該第３方向における終端である第１終端が、前記配線基板第２面の該第３方向における終端である第２終端よりも、前記係止部材側となるように設けられ、かつ、
前記第１終端から前記第２終端に向かって退避する側部が設けられることを特徴とする。
【００１３】
また本発明は、前記フレキシブルプリント配線基板は、該フレキシブルプリント配線基板の前記側部における前記係止部材に対向する面が、平面となるように設けられることを特徴とする。
【００１４】
また本発明は、前記光ピックアップ装置と、該光ピックアップ装置を取り囲む筐体とを備え、
前記係止相手部材は、前記筐体の一部分であることを特徴とする光ディスクドライブ装置である。
【００１５】
また本発明は、前記光ピックアップ装置に用いられる係止部材の段差を形成する加工方法であって、
フレキシブルプリント配線基板の一の端部の一方側の面に、平板状の係止部材を固定する固定工程と、
フレキシブルプリント配線基板および該フレキシブルプリント配線基板に固定された係止部材を、該フレキシブルプリント配線基板の前記一方側の面とは反対側の面が下になるように、平らな載置台上に載置する載置工程と、
前記載置台上に載置された係止部材のうち、少なくともフレキシブルプリント配線基板とは重なっていない部分を、押付部材の平面部分によって、加熱しながら前記載置台に押し付ける押付工程とを有することを特徴とする加工方法である。
【発明の効果】
【００１６】
本発明によれば、係止部材によってフレキシブルプリント配線基板（ＦＰＣ）の他端部を係止相手部材に係止させることにより、光ピックアップ部のシーク動作に伴うＦＰＣのばたつきを抑えることができる。また、本発明では、第１方向においてＦＰＣの一端部と他端部とが最も近接する状態において、光ピックアップ部とＦＰＣの他端部および係止部材とが離間し、かつ、係止部材の最も高い位置の部分とＦＰＣの他端部の最も高い位置の部分とが同じ高さであるので、シーク動作に伴ってＦＰＣが移動、変形しても、光ピックアップ部と、ＦＰＣと係止部材との接続部とが引っ掛からない。したがって、ＦＰＣと係止部材との接続部を任意の位置に配置できるので、設計自由度を高くできる。
【００１７】
また本発明によれば、係止部材の係止部材第１面は、ＦＰＣの配線基板第１面を含む仮想平面上の平面となるように形成されている。これによって、第２方向において、光ピックアップ部と、ＦＰＣと係止部材との接続部とをより近接させても、引っ掛かりが生じなくなるので、光ピックアップ装置をより小型化できる。
【００１８】
また本発明によれば、ＦＰＣは第１終端から第２終端に向かって退避する側部が設けられ、該側部は、好ましくは、係止部材に対向する面が平面となるように形成される。これによって、ＦＰＣと係止部材との接続部において、ＦＰＣと係止部材との間の隙間が小さくなり、光ピックアップ部が引っ掛かる可能性をより小さくできる。
【００１９】
また本発明によれば、上記光ピックアップ装置を備えることにより、ＦＰＣのばたつきを抑え、かつ、設計自由度を高くできる光ディスクドライブ装置を提供できる。
【００２０】
また本発明によれば、固定工程、載置工程、および押付工程という簡単な工程で、本発明に係る係止部材の段差を形成することができる。
【図面の簡単な説明】
【００２１】
【図１】光ディスクドライブ装置２００を示す模式図である。
【図２】シーク動作に伴うＦＰＣ２の移動および変形の様子を示す図である。
【図３】係止シート３について説明するための図である。
【図４】光ディスクドライブ装置３００について説明するための図である。
【図５】加工方法を説明するための図である。
【図６】押付工程のより好ましい形態を示す図である。
【発明を実施するための形態】
【００２２】
以下に、本発明の実施形態である光ピックアップ装置１００を備える光ディスクドライブ装置２００について説明する。図１は、後述する底板７から後述する光ピックアップ部１に向かう方向において見たときの光ディスクドライブ装置２００を示す模式図である。光ディスクドライブ装置２００は、光ピックアップ部１、フレキシブルプリント配線基板（以下、「ＦＰＣ（Flexible Printed Circuit board）」と称する）２、係止シート３、駆動部４、主軸５、副軸６、および底板７を含む。光ディスクドライブ装置２００は、光ディスクに対して情報の記録または再生を行う装置である。
【００２３】
光ディスクドライブ装置２００の一部である光ピックアップ装置１００は、光ピックアップ部１と、一端部２ｃが光ピックアップ部１に接続されるＦＰＣ２と、段差を有する係止シート３と、係止シート３を介してＦＰＣ２の他端部２ａが係止される部材である係止相手部材とを含む。本実施形態では、係止相手部材は底板７である。本発明の他の実施形態として、係止部材は、たとえば、ＦＰＣ２に接続される図示しない回路基板であってもよい。
【００２４】
底板７は、光ピックアップ装置１００を取り囲む筐体の一部であり、矩形平板状の部材である。底板７は、その主面に垂直な方向において光ピックアップ部１から離間するように設けられる。駆動部４は、光ディスクを回転させるためのスピンドルモータ４ａを含む。駆動部４には、主軸５および副軸６が固定される。主軸５および副軸６は、底板７の長手方向である第１方向Ｂ１に延びるように設けられる。また、主軸５および副軸６は、底板７の主面に対して平行に延びるように設けられる。
【００２５】
光ピックアップ部１は、対物レンズ１ａ、ならびに、図示しない受光素子、発光素子、およびアクチュエータを含む。対物レンズ１ａは、その焦点が光ディスクの記録面上となるように設けられる。発光素子は、対物レンズ１ａを経由して、光ディスクの記録面に所定の波長の光を照射する。受光素子は、光ディスクの記録面で反射され、対物レンズ１ａを経由した光を受けて、その光量を検出する。アクチュエータは、光ピックアップ部１のシーク動作を可能にする。シーク動作とは、対物レンズ１ａが光ディスクの所定の位置に対向するように、主軸５および副軸６に沿って、光ピックアップ部１全体を第１方向Ｂ１に移動させる動作である。このシーク動作において、光ピックアップ部１は、光ディスクの半径方向に移動することになる。
【００２６】
ＦＰＣ２は、電気信号の伝送のための配線板であり、可撓性を有している。ＦＰＣ２は、たとえば、ポリイミドなどの樹脂材料からなるフィルム上に、電子回路を構成する銅箔が接着されて形成される。ＦＰＣ２の一端部２ｃは、光ピックアップ部１に電気的に接続される。また、ＦＰＣ２は、その他端部２ａ側にコネクタ部２ｂを有しており、コネクタ部２ｂには、図示しない回路基板が電気的に接続される。回路基板には、光ピックアップ部１との間で記録信号および再生信号を入出力する信号処理回路などの各種制御回路が搭載される。
【００２７】
ＦＰＣ２は、底板７の主面および第１方向Ｂ１に垂直な方向である第２方向Ｂ２に離れた位置から見たときに、その一部が折り重なるように変形した状態で、光ピックアップ部１および図示しない回路基板に接続されている。たとえば、ＦＰＣ２は、図１に示すように、一端部２ｃの幅が狭く、かつ、他端部２ａの幅が広く形成されるＬ字状のＦＰＣであり、第１方向Ｂ１のうちの一方向に向けて一端部２ｃから延在し、底板７側に折り返し、そして、第１方向Ｂ１のうちの他方向に向けて延在するように設けられている。したがって、ＦＰＣ２の他端部２ａは、第２方向Ｂ２において、ＦＰＣ２の一端部２ｃおよび光ピックアップ部１よりも、底板７側になる。
【００２８】
なお、本実施形態ではＦＰＣ２はＬ字状であるけれども、ＦＰＣ２の形状、大きさ、色などは、適宜変更可能である。たとえば、ＦＰＣ２がＬ字状ではなく、Ｊ字状であってもよい。
【００２９】
このようなＦＰＣ２は、光ピックアップ部１のシーク動作に伴って、移動、変形する。図２は、シーク動作に伴うＦＰＣ２の移動および変形の様子を示す図である。図２（ａ）は、図１のＡ−Ａを切断面線とする光ディスクドライブ装置２００の断面図である。なお、図２（ａ）において、光ピックアップ部１および駆動部４は、切断せずに示している。図２（ａ）に示す状態は、光ピックアップ部１が駆動部４に最も近接している状態であるとともに、第１方向Ｂ１において、ＦＰＣ２の一端部２ｃと他端部２ａとが最も近接している状態である。
【００３０】
図２（ｂ）は、光ピックアップ部１が駆動部４から最も離間している状態を示している。光ピックアップ部１は、シーク動作において、図２（ａ）に示す位置から、図２（ｂ）に示す位置まで、任意の位置に移動することができる。
【００３１】
このように構成される光ディスクドライブ装置２００では、駆動部４のスピンドルモータ４ａにより光ディスクが回転するとともに、光ピックアップ部１のシーク動作が行われる。シーク動作によって所定の位置に移動した光ピックアップ部１は、対物レンズ１ａを介して、発光素子および受光素子により、情報の記録または再生を行う。
【００３２】
上述したように、ＦＰＣ２は、光ピックアップ部１のシーク動作に伴って、移動、変形する。本発明では、光ピックアップ部１のシーク動作のときに、ＦＰＣ２のばたつきが生じないように、係止シート３によって、ＦＰＣ２の他端部２ａを底板７に係止させている。
【００３３】
図３は、係止シート３について説明するための図であり、図２（ａ）の一部を拡大して示す図である。係止シート３は、ＦＰＣ２よりも柔らかい樹脂材料、たとえば、ＰＥＴなどから形成されるシートである。係止シート３は、その一部が、合成樹脂などの接着剤９によって、ＦＰＣ２の他端部２ａにおける底板７側の面である配線基板第２面Ｃ２に固定される。配線基板第２面Ｃ２は、ＦＰＣ２の他端部２ａにおける光ピックアップ部１に対向する面である配線基板第１面Ｃ１とは反対側の面である。また、係止シート３において、ＦＰＣ２が固定される面を、係止部材第２面Ｄ２と称する。
【００３４】
また、係止シート３は、第１方向Ｂ１のうちＦＰＣ２の他端部２ａから係止シート３に向かう方向の下流側の端部において、係止シート３の光ピックアップ部１に対向する面である係止部材第１面Ｄ１とは反対側の面が、合成樹脂などの接着剤８によって、底板７に固定される。
【００３５】
係止シート３は、第２方向Ｂ２における段差が形成されたシートである。係止シート３の段差は、第１方向Ｂ１においてＦＰＣ２の一端部２ｃと他端部２ａとが最も近接する状態（以下、「基準状態」と称する）のとき、たとえば、図２（ａ）に示す状態のときに、係止シート３の係止部材第１面Ｄ１のうち第２方向Ｂ２において光ピックアップ部１に最も近接する部分と、ＦＰＣ２の配線基板第１面Ｃ１のうち第２方向Ｂ２において光ピックアップ部１に最も近接する部分とが、第２方向Ｂ２において同じ位置となるように形成される。すなわち、第２方向Ｂ２を、底板７を最下方とする高さ方向としたとき、係止シート３の最も高い位置の部分と、ＦＰＣ２の他端部２ａの最も高い位置の部分とは、同じ高さとなる。
【００３６】
係止シート３には、上記のように、係止部材第１面Ｄ１と係止部材第２面Ｄ２とによる段差が形成されている。そして、係止部材第１面Ｄ１と係止部材第２面Ｄ２とは、係止シート３の傾斜部３ａの傾斜面Ｄ３によって、接続されている。
【００３７】
さらに本実施形態では、ＦＰＣ２の配線基板第１面Ｃ１および係止シート３の係止部材第１面Ｄ１は、底板７に平行な平面となっている。したがって、係止シート３の係止部材第１面Ｄ１は、ＦＰＣ２の配線基板第１面Ｃ１を含む仮想平面Ｋ１上の平面となるように形成されている。
【００３８】
このような係止シート３によってＦＰＣ２の他端部２ａを底板７に係止させることにより、ＦＰＣ２のばたつきが抑えられ、ＦＰＣ２および周辺の部品の損傷を防ぐことができる。これによって、光ディスクドライブ装置２００の安定な動作を確保することができる。
【００３９】
また、光ディスクドライブ装置２００は、上記基準状態において、光ピックアップ部１とＦＰＣ２の他端部２ａおよび係止シート３とが離間し、かつ、係止シート３の最も高い位置の部分とＦＰＣ２の他端部２ａの最も高い位置の部分とが同じ高さであるので、シーク動作に伴ってＦＰＣ２が移動、変形しても、光ピックアップ部１と、ＦＰＣ２と係止シート３との接続部とが引っ掛からない。したがって、ＦＰＣ２と係止シート３との接続部を任意の位置に配置できるので、設計自由度の高い光ディスクドライブ装置２００を提供できる。
【００４０】
さらに、本実施形態では、係止シート３は、材料および厚さを適宜選択することで、ＦＰＣ２よりも柔らかくなるように形成される。これによって、図２（ｂ）に示すように、光ピックアップ部１が駆動部４から離間する方向に移動するとき、係止シート３は段差が小さくなるような変形をして、ＦＰＣ２に係る負荷を減少させることができる。
【００４１】
また、本実施形態では、係止シート３の係止部材第１面Ｄ１は、ＦＰＣ２の配線基板第１面Ｃ１を含む仮想平面Ｋ１上の平面となるように形成されている。これによって、第２方向において、光ピックアップ部１と、ＦＰＣ２と係止シート３との接続部とをより近接させても、引っ掛かりが生じなくなるので、光ディスクドライブ装置２００をより小型化できる。また、光ピックアップ部１のシーク動作のときに予期しないような振動などがあっても、引っ掛かることがない。
【００４２】
次に、本発明の他の実施形態である光ディスクドライブ装置３００について説明する。図４は、光ディスクドライブ装置３００について説明するための図である。光ディスクドライブ装置３００は、ＦＰＣ２に代えてＦＰＣ３２が用いられること以外は、光ディスクドライブ装置２００と同一の構成であるので、ＦＰＣ３２以外の部材の説明は省略する。また、ＦＰＣ３２は、係止シート３によって底板７に係止される他端部３２ａの形状がＦＰＣ２の他端部２ａの形状と異なること以外は、ＦＰＣ２と同一の構成であるので、他端部３２ａ以外の部分の説明は省略する。
【００４３】
ＦＰＣ３２は、他端部３２ａにおいて光ピックアップ部１に対向する面である配線基板第１面Ｅ１が、底板７の主面に平行な平面となるように設けられている。そして、ＦＰＣ３２は、配線基板第１面Ｅ１を含む仮想平面Ｋ２上に、係止シート３の係止部材第１面Ｄ１があるように設けられている。
【００４４】
また、ＦＰＣ３２は、第３方向Ｂ３において、第１終端Ｆ１が第２終端Ｆ２よりも係止シート３側となるように設けられ、かつ、第１終端Ｆ１から第２終端Ｆ２に向かって退避する側部３２ｄが形成される。ここで、第３方向Ｂ３は、仮想平面Ｋ２に平行な方向であって、ＦＰＣ３２の他端部３２ａから係止シート３に向かう方向である。また、第１終端Ｆ１は、ＦＰＣ３２の配線基板第１面Ｅ１の第３方向Ｂ３における終端である。また、第２終端Ｆ２は、ＦＰＣ３２の配線基板第１面Ｅ１とは反対側の面である配線基板第２面Ｅ２の、第３方向Ｂ３における終端である。
【００４５】
ＦＰＣ３２が上記のように構成されるとき、ＦＰＣ３２の側部３２ｄと係止シート３の傾斜部３ａとが近接する。これによって、ＦＰＣ３２と係止シート３との接続部において、ＦＰＣ３２と係止シート３との間の隙間が小さくなる。その結果、ＦＰＣ３２と係止シート３との間の隙間に予期しない異物が挟まる可能性が小さくなるので、光ピックアップ部１が異物に引っ掛かる可能性を小さくできる。
【００４６】
さらに本実施形態では、ＦＰＣ３２の側部３２ｄにおける係止シート３に対向する面が平面となっている。そして、この側部３２ｄの平面部分が、係止シート３の傾斜部３ａの傾斜面Ｄ３と重なっている。これによって、ＦＰＣ３２と係止シート３との間の隙間がより小さくなり、異物が挟まる可能性をより小さくできる。なお、ＦＰＣ３２の側部３２ｄにおける係止シート３に対向する面が、平面ではなく、たとえば、階段状であったとしても、ＦＰＣ３２と係止シート３との間の隙間を小さくする効果は発揮される。
【００４７】
次に、光ディスクドライブ装置２００，３００における係止シート３の段差を形成する加工方法について説明する。図５は、加工方法を説明するための図である。本発明に係る加工方法は、図５（ａ）に示す固定工程と、図５（ｂ）に示す載置工程と、図５（ｃ）に示す押付工程とを含む。
【００４８】
固定工程は、ＦＰＣ１０の一の端部１０ａの一方側の面１０ｂに、平板状のＰＥＴシート２０を、合成樹脂などの接着剤によって固定する工程である。ＦＰＣ１０は、光ディスクドライブ装置２００，３００におけるＦＰＣ２，３２に用いられるＦＰＣであり、該ＦＰＣ１０の他の端部には、光ピックアップ部１が接続される。また、ＰＥＴシート２０は、光ディスクドライブ装置２００，３００における係止シート３に用いられる。
【００４９】
載置工程は、ＦＰＣ１０およびＦＰＣ１０に固定されたＰＥＴシート２０を、ＦＰＣ１０の端部１０ａにおける一方側の面１０ｂとは反対側の面１０ｃが下になるように、平らな載置台３０上に載置する工程である。載置台３０は、支持部３０ｂの上にクッション部３０ａが形成されたものであり、クッション部３０ａの表面は平らに形成されている。
【００５０】
押付工程は、載置台３０のクッション部３０ａ上に載置されたＰＥＴシート２０のうち、少なくともＦＰＣ１０とは重なっていない部分２０ｂを、押付部材４０の平面部分４０ａによって、加熱しながら載置台３０に押し付ける工程である。押し付けのときには、ＦＰＣ１０は図示しない固定部材によって動かないように固定され、ＰＥＴシート２０の押し付けられる部分２０ｂは１６０℃程度に加熱される。押付部材４０の平面部分４０ａは、２００℃程度の温度に耐えることができ、熱伝導率の高い材料から形成されていれば、大きさ、色などは適宜選択できる。
【００５１】
このような固定工程、載置工程、および押付工程によって、ＦＰＣ１０の端部１０ａの面１０ｃと、ＰＥＴシート２０の一部分２０ｂにおける押付部材４０が当接した面とは反対側の面２０ａとが同じ高さの平面となるように、ＰＥＴシート２０に段差が形成される。ＰＥＴシート２０の面２０ａは、光ディスクドライブ装置２００，３００において、係止部材第１面Ｄ１となる。段差が形成されたＰＥＴシート２０を用いることで、容易に、本発明に係る光ディスクドライブ装置２００，３００を製造できる。
【００５２】
上記押付工程では、載置台３０のクッション部３０ａ上に載置されたＰＥＴシート２０のうち、ＦＰＣ１０と重なっている部分の少なくとも一部を載置台３０に押し付けることが好ましい。図６は、押付工程のより好ましい形態を示す図である。図６（ａ）は、押し付ける前の状態を示しており、図６（ｂ）は押し付けている状態を示している。図６に示す押付工程では、載置台３０のクッション部３０ａ上に載置されたＰＥＴシート２０のうち、ＦＰＣ１０とは重なっていない部分２０ｂを載置台３０に押し付けるとともに、ＦＰＣ１０と重なっている部分２０ｃの一部を載置台３０に押し付けている。これによって、ＰＥＴシート２０においてＦＰＣ１０と重なっている部分２０ｄが、図６の紙面に向かって左右方向に伸び、その結果、ＦＰＣ１０とＰＥＴシート２０との該左右方向における隙間が小さくなる。したがって、左右方向において、ＰＥＴシート２０におけるＦＰＣ１０の端部１０ａの面１０ｃと同じ高さの面２０ａを、ＦＰＣ１０により近接させて形成することができる。このような図６に示す押付工程を含む加工方法では、上記固定工程において、ＦＰＣ２０よりも厚さが大きいＰＥＴシート２０が用いられる。
【００５３】
なお、上記加工方法では、係止シート３の材料としてＰＥＴシート２０を用いたけれども、ＰＥＴシート２０以外を用いてもよい。また、載置台３０は、押付工程において伝わる熱に耐えうる材料から形成されていれば、大きさ、色などは適宜選択できる。
【符号の説明】
【００５４】
１  光ピックアップ部
２，１０，３２  フレキシブルプリント配線基板（ＦＰＣ）
３  係止シート
４  駆動部
５  主軸
６  副軸
７  底板
２０  ＰＥＴシート
３０  載置台
４０  押付部材
１００  光ピックアップ装置
２００，３００  光ディスクドライブ装置
【図１】
2012003829.tif 000003
【図２】
2012003829.tif 000004
【図３】
2012003829.tif 000005
【図４】
2012003829.tif 000006
【図５】
2012003829.tif 000007
【図６】
2012003829.tif 000008